(57)【要約】【課題】ユーザー操作を簡略化した携帯端末を提供することである。【解決手段】無線通信機能を有する携帯端末であって、当該携帯端末がスクリーンロック状態にあるときに、当該携帯端末の向きを検出する方向検出手段と、前記検出された向きが上方向であるときにスクリーンロック解除操作を検出すると動作モードとして通常モードを起動する第1起動手段と、前記検出された向きが左方向であるときにスクリーンロック解除操作を検出すると動作モードとしてＴＶモードを起動する第２起動手段とを有する構成とした。【選択図】図２
2019016009.tif 000002
【特許請求の範囲】
【請求項１】
無線通信機能を有する携帯端末であって、
当該携帯端末がスクリーンロック状態にあるときに、当該携帯端末の向きを検出する方向検出手段と、
前記検出された向きが特定の方向であるときにスクリーンロック解除操作を検出すると所定の動作モードを起動する起動手段と、
を有することを特徴とする携帯端末。
【請求項２】
無線通信機能を有する携帯端末であって、
当該携帯端末がスクリーンロック状態にあるときに、当該携帯端末の向きを検出する方向検出手段と、
前記検出された向きが第１の方向であるときにスクリーンロック解除操作を検出すると第１の動作モードを起動する第１起動手段と、
前記検出された向きが第２の方向であるときにスクリーンロック解除操作を検出すると第２の動作モードを起動する第２起動手段と、を有し、
前記スクリーンロック解除操作は、前記第１の方向と前記第２の方向とで異なる操作であることを特徴とする携帯端末。
【請求項３】
無線通信機能を有する携帯端末の動作モード切り替え方法であって、
当該携帯端末がスクリーンロック状態にあるときに、
自携帯端末の向きを検出するステップと、
前記検出された向きが特定の方向であるときにスクリーンロック解除操作を検出すると所定の動作モードを起動するステップと、
を有することを特徴とする携帯端末の動作モード切り替え方法。
【請求項４】
無線通信機能を揺する携帯端末の動作モード切り替え方法であって、
当該携帯端末がスクリーンロック状態にあるときに、
自携帯端末の向きを検出するステップと、
前記検出された向きが第1の方向であるときにスクリーンロック解除操作を検出すると第1の動作モードを起動するステップと、
前記検出された向きが第２の方向であるときにスクリーンロック解除操作を検出すると第２の動作モードを起動するステップと、を有し、
前記スクリーンロック解除操作は、前記第１の方向と前記第２の方向とで異なる操作であることを特徴とする携帯端末の動作モード切り替え方法。
【発明の詳細な説明】
【技術分野】
【０００１】
本発明は、無線通信機能を有する携帯端末の動作モード切り替え方法に関する。
【背景技術】
【０００２】
携帯端末（いわゆるスマートフォン（以下、スマホともいう）等の無線通信端末）において、省エネおよび誤操作防止等のため、未使用時にはタッチスクリーンを消灯し、操作を無効化する（いわゆる）スクリーンロック機能を有している。
【０００３】
ユーザーは、携帯端末を使用したいときにはスクリーンロック解除操作を行い、その後、目的とする機能を起動するための命令を入力する。この命令入力は、タッチスクリーンの特定の領域に対するユーザーの押圧またはスライドの操作によって行われるのが一般的である。
【０００４】
一方、操作を簡略化するため、長方形の表示部を備えた携帯端末にて、インターネットに接続し、その接続したサイトのＷＥＢページを表示する命令を入力した際、前記表示部の向きを検知し、例えば、表示部が縦長方向の時には携帯用のブラウザーを起動し、表示部が横長方向の時にはＰＣ用のブラウザーを起動するという技術が記載・開示されている（特許文献１参照）。
【先行技術文献】
【特許文献】
【０００５】
【特許文献１】特開２００９−５３３８５号公報
【発明の概要】
【発明が解決しようとする課題】
【０００６】
携帯端末の一般的な使い方としては、スクリーンロック状態を解除し、目的とする機能を起動するための命令を入力する必要があり、前述の先行技術を採用したとしても３種類の操作（スクリーンロック解除、端末を所定の方向へ向ける、起動命令、の３種類）が必要になってしまい、操作が煩わしいという問題がある。
【０００７】
本発明は、上記課題に鑑みなされたものであり、ユーザー操作を更に簡略化した携帯端末を提供することを目的とする。
【課題を解決するための手段】
【０００８】
上記課題を解決するために、本発明は、無線通信機能を有する携帯端末であって、当該携帯端末がスクリーンロック状態にあるときに、当該携帯端末の向きを検出する方向検出手段と、前記検出された向きが特定の方向であるときにスクリーンロック解除操作を検出すると所定の動作モードを起動する起動手段とを有するものである。
【発明の効果】
【０００９】
本発明によれば、携帯端末を特定の方向へ向け、スクリーンロック解除操作を行うだけで、所望の動作モードを起動することができ、ユーザー操作がより一層簡略化され、特に身体に障害を有する者、または／および、高齢者にとって、使い易く便利になるという効果もある。
【図面の簡単な説明】
【００１０】
【図１】本発明に係る携帯端末の構成を示す機能ブロック図である。
【図２】本発明に係る携帯端末のスクリーンロック解除操作と自携帯端末の向きによる動作モード起動の処理を示すフローチャートである。
【発明を実施するための形態】
【００１１】
以下、本発明の実施の形態について説明する。なお、以下の実施形態では、携帯端末として、いわゆるスマートフォン（以下、スマホともいう）を例にあげて説明する。しかし、本発明はこれに限定されない。例えば、レガシータイプの携帯電話機や、家庭用／事業所用のコードレス電話機の子機などでの実施も可能である。
【００１２】
図１は、携帯端末１０の構成を示す機能ブロック図である。
【００１３】
携帯端末１０は、本発明を実施する最低限の構成として、アンテナ１１、無線部１２、制御部１３、表示部１４、操作部１５、方向検出部１６、記憶部１７からなる。なお、制御部１３には、操作判定部２１、動作モード切り替え部２２が含まれる。
【００１４】
アンテナ１１は、携帯端末１０が送信する信号を電波として放射する。また、アンテナ１１は、空間から電波を受信して受信信号を無線部１２へ出力する。
【００１５】
無線部１２は、アンテナ１１から出力される高周波信号を受信して、携帯端末１０で処理できる周波数の信号へと変換する。また、無線部１２は、増幅器等を含み、携帯端末１０が送信する信号を、アンテナ送信周波数へと変換する。
【００１６】
制御部１３は、ＭＰＵなどから構成され、記憶部１７に記憶されるプログラムに従って携帯端末１０の動作を制御する。制御部１３は、操作判定部２１と、動作モード切り替え部２２と、を含む。
【００１７】
操作部１４は、例えばタッチパネルであり、ユーザーによる入力操作を受けつけて、受けつけた操作信号を制御部１３へ出力する。
【００１８】
表示部１５は、ＬＣＤ、有機ＥＬディスプレイ等であり、ユーザーに対し静止画、動画などを表示する。なお、操作部１４と表示部１５とは、例えば静電容量方式のタッチパネルディスプレイを構成することとし、映像等を表示するとともにユーザーの入力操作を受けつけることとしている。
【００１９】
方向検出部１６は、加速度センサー（傾きを検出）と、地磁気センサー（方角を検出）とから構成され、携帯端末１０の傾きと方角を検出し、携帯端末１０の向き・方向を検出している。
【００２０】
傾きと方角を表す指標としては、例えばANDROID（登録商標）では、携帯端末上側をＹ軸、右向きをＸ軸、画面から外に向かう方向をＺ軸としており、このとき、Ｘ軸回りの回転をピッチ（PITCH）、Ｙ軸回りの回転をロール（ROLL）、Ｚ軸回りの回転をアジマス（AZIMUTH）と定義している。これは、例えば、航空機に見立てたときに、機首の上げ下げがピッチで、主翼の先端を上下するのがロール、航空機が飛んでいる方角がアジマス、として対比することで理解が容易になる。
【００２１】
記憶部１７は、ＲＯＭ、ＲＡＭ、ＳＤカードなどのメモリ回路等により構成され、携帯端末１０を動作させるための、動作モード（いわゆるスマホによる携帯電話として使用される通常モード、いわゆるワンセグ等によるＴＶ視聴モード、サーバ等と組み合わせプライベートシステムとして運用する場合に管理者として各種設定をおこなうための管理者モード、など）等を記憶する。
【００２２】
操作判定部２１は、操作部１４からの操作信号の出力を受け付けて、出力結果が示す処理の内容を判定する。操作判定部２１は、例えば、スワイプ操作（掃くように動かすという意味＝画面を指でなぞる操作）が行われたこと受け付けると、記憶部１７に予め記憶されている携帯端末１０のスクリーンロック解除操作と一致するか否かを判定する。
【００２３】
なお、スクリーンロック解除操作は、スワイプの方向等によるものだけでなく、例えば、生体認証機能を有している場合は、当該生体認証機能を用いて、ユーザーを特定し、スクリーンロック解除操作とすることでもよい。
【００２４】
動作モード切り替え部２２は、操作判定部２１による判定の結果、スクリーンロック解除操作が行われた場合、方向検出部１６による携帯端末１０の向き・方向に応じた動作モードを起動する。
【００２５】
次に、図２を用いて操作判定部２１と、動作モード切り替え部２２の動作について説明する。図２は、携帯端末１０のスクリーンロック解除操作と携帯端末１０の向きによる動作モード起動の処理を示すフローチャートである。
【００２６】
ステップＳ５１において、操作判定部２１は、スワイプ操作が行われたことを受け付けると、記憶部１７に予め記憶されている携帯端末１０のスクリーンロック解除操作（第１のスクリーンロック解除操作）と一致するかを判定する。一致した場合（Ｓ５１、ＹＥＳ）は、ステップＳ５２の処理を実行する。一致しなかった場合（Ｓ５１、ＮＯ）はステップＳ５６の処理を実行する。
【００２７】
ステップＳ５２において、動作モード切り替え部２２は、携帯端末１０の向き・方向に応じた所定の動作モードを起動する。携帯端末１０の向き・方向は、例えば、画面の典型的な向きである縦表示になっている状態を基準として判定する。すなわち、基準画面と同じ方向（上向き）（第１の方向）になっている場合（Ｓ５２、ＹＥＳ）は、ステップＳ５３で通常モードを起動し、基準画面と同じ方向ではない場合（Ｓ５２、ＮＯ）は、ステップＳ５４の処理を実行する。
【００２８】
ステップＳ５４において、携帯端末１０の向き・方向は基準画面の左方向（第２の方向）になっている場合（Ｓ５４、ＹＥＳ）は、ＴＶ視聴への移行であると判断し、ステップＳ５５でＴＶモードを起動し、左方向ではない場合（Ｓ５４、ＮＯ）は、ステップＳ５３で通常モードを起動する。
【００２９】
ステップＳ５６において、操作判定部２１は、生体認証（第２のスクリーンロック解除操作）が行われたことを受け付けると、記憶部１７に記憶されている特定ユーザー情報と一致するかを判定する。一致した場合（Ｓ５６、ＹＥＳ）は、ステップＳ５７の処理を実行する。一致しなかった場合（Ｓ５６、ＮＯ）はステップＳ５１へ戻る。
【００３０】
ステップＳ５７において、携帯端末１０の向き・方向は基準画面の右方向（第２の方向）になっている場合（Ｓ５７、ＹＥＳ）は、管理者モードへの移行であると判断し、ステップＳ５８で管理者モードを起動し、右方向ではない場合（Ｓ５７、ＮＯ）は、ステップＳ５３で通常モードを起動する。
【００３１】
なお、携帯端末１０に生体認証機能等が無い場合は、ステップＳ５６と、Ｓ５７と、Ｓ５８とを省略し、ステップＳ５１でＮＯの場合には、ステップＳ５１に戻るという処理にしてもよい。
【符号の説明】
【００３２】
１０    携帯端末
１１    アンテナ
１２    無線部
１３    制御部
１４    操作部
１５    表示部
１６    方向検出部
１７    記憶部
２１    操作判定部
２２    動作モード切り替え部
【図１】
2019016009.tif 000003
【図２】
2019016009.tif 000004